(57)【特許請求の範囲】
【請求項１】
本体と、
前記本体に設けられ、所定アクセサリが装着可能な装着部と、
前記本体に収納される電池と、
前記電池の出力電圧を検出する電池電圧検出部と、
前記装着部に装着された前記所定アクセサリに、前記電池からの電力を供給する外部電源供給部と、
前記装着部に装着されている前記所定アクセサリに関するアクセサリ情報に基づいて設定される閾値と、前記電池電圧検出部の検出結果と、に基づいて前記電池の残容量を判定する制御部と、
前記装着部に装着されている前記所定アクセサリにおいて消費される定格電力の大きさを識別する識別手段と、
前記外部電源供給部に設けられており、前記電池からの出力電圧を電圧降下させて一定の定電圧にする電圧安定化回路と、
前記外部電源供給部に設けられており、前記電池からの電力を前記電圧安定化回路を介して前記所定アクセサリに供給するか、あるいは前記電池からの電力を前記電圧安定化回路を介さずに前記所定アクセサリへ直接供給するかを切り換える切換部と、を有し、
前記制御部は、前記識別手段で識別された前記所定アクセサリの前記定格電圧の大きさに基づいて、前記切換部の切り換えを制御する電子機器。
【請求項２】
前記装着部は、前記所定アクセサリとの接続状態が前記識別に使用される構造を有する、請求項１に記載の電子機器。
【請求項３】
前記電池の前記残容量を表示する表示部
をさらに備える、請求項１または請求項２に記載の電子機器。
【請求項４】
前記閾値は、前記電池の前記残容量が無いと判定する放電終止電圧であり、
前記表示部は、前記電池の前記残容量を百分率で表示する、請求項３に記載の電子機器。
【請求項５】
前記表示部は、前記電池の前記残容量が複数の段階のうちのいずれの段階に含まれるかを前記表示部に表示する請求項３に記載の電子機器。
【請求項６】
前記制御部は、前記電池電圧検出部によって検出された前記電池の出力電圧と、前記所定アクセサリの消費電力と、に基づく前記電池の前記残容量を実質的０と判定した場合、前記所定アクセサリを制御しない請求項１に記載の電子機器。
【請求項７】
前記装着部とは別に設けられており、且つ前記所定アクセサリとは異なるアクセサリが装着可能な第２装着部をさらに備え、
前記制御部は、前記第２装着部に装着されている前記異なるアクセサリの駆動時における、前記切換部の前記切り換えを制御する請求項１〜６に記載の電子機器。
【請求項８】
前記異なるアクセサリは、移動可能な光学系を備えた撮影レンズであり、
前記異なるアクセサリの駆動時とは、前記光学系を駆動している時である請求項７に記載の電子機器。
【請求項９】
請求項１に記載の電子機器に制御されるアクセサリであって、前記電子機器から供給された電力によって駆動される負荷部と、前記負荷部での消費電力情報を前記電子機器に通知する負荷制御部と、を備えるアクセサリ。
【請求項１０】
前記所定アクセサリは、ＧＰＳ信号受信装置を含む請求項９に記載のアクセサリ。
【請求項１１】
前記所定アクセサリは、負荷部として発光部を発光させる電力を充電する充電部を備える請求項９に記載のアクセサリ。
【請求項１２】
請求項１に記載の電子機器及び／又は請求項９に記載のアクセサリを備えるカメラシステム。
【発明の詳細な説明】
【技術分野】
【０００１】
本発明は、電子機器、アクセサリ及びカメラシステムに関する。
【背景技術】
【０００２】
従来、電子機器として、例えば、特開平６−１１３４７６号公報に開示された電源装置がある。電源装置は、直流電源および電源ユニットから構成されている。電源ユニットは、第１の過電流検出回路、第２の過電流検出回路、および定電圧制御回路を備えて構成されている。定電圧制御回路は、第１の過電流検出ポイントにおいて過電流が検出されて、第１の過電流検出回路から制御信号が与えられると、出力電流を制限し、出力電圧の瞬時降下を他の電子回路パッケージの動作許容限度内に抑制する。また、定電圧制御回路は、第２の過電流検出ポイントにおいて過電流が検出されて、第２の過電流検出回路から制御信号が与えられると、出力電流を遮断し、負荷側に電流を供給させないようにする。
【０００３】
しかしながら、上記従来の電源装置は、負荷を過電流から保護する考慮がなされているが、直流電源を過電流から保護する考慮はなされていない。このため、放電能力以上に過電流を出力して直流電源が劣化したりすることで、従来、直流電源を安定的に効率的に使うことができなかった。
【０００４】
また、従来、カメラは、本体に備えている電池から各負荷に電力を供給する。例えば、代表的な負荷として、レンズ鏡筒における光学系を駆動する光学系駆動部や、発光装置における発光部を発光させるための電力を充電する充電部などがある。これらの負荷を駆動するにあたり、カメラは、指定された最大定格電流値の範囲内に収まるように、負荷（レンズ駆動機構）の消費電力を調整して、負荷の駆動を制御する（例えば、特許文献２参照）。
【先行技術文献】
【特許文献】
【０００５】
【特許文献１】特開平６−１１３４７６号公報
【特許文献２】特開２００１−６６４８９号公報
【発明の概要】
【発明が解決しようとする課題】
【０００６】
ところで、特許文献２によると、本体側から指定された最大定格電流値の範囲内に収まるように、負荷（レンズ駆動機構）の消費電力が制御される。カメラは、負荷の消費電力を、指定した最大定格電流の範囲内に収めることができる。このような制御を行う場合において、カメラは、指定した最大定格電流に対応する判定閾値に基づいて、電池残量の判定を行っている。
【０００７】
しかしながら、単に、本体側から指定された最大定格電流に対応する判定閾値に基づいて、電池残量の判定を行うと、電池残量が残っている状態でありながら電池残量の低下を検出してしまうことにより、電池容量を有効に使い切ることができないという問題がある。
【課題を解決するための手段】
【０００８】
本発明に係る態様は、電池容量を有効に使いきることを目的とする。
【０００９】
本発明に係る一態様における電子機器は、本体と、前記本体に設けられ、アクセサリが装着可能な装着部と、前記本体に収納される電池と、前記電池の出力電圧を検出する電池電圧検出部と、前記装着部に装着された前記アクセサリに、前記電池からの電力を供給する外部電源供給部と、前記アクセサリに関するアクセサリ情報に基づいて設定される閾値と、前記電池電圧検出部の検出結果と、に基づいて前記電池の残容量を判定する制御部と、を備える。
【００１０】
本発明に係る一態様における電子機器は、本体と、前記本体に設けられ、アクセサリが装着可能な装着部と、前記本体に収納される電池と、前記電池の出力電圧を検出する電池電圧検出部と、前記装着部に装着された前記アクセサリに、前記電池からの電力を供給する外部電源供給部と、前記アクセサリに関するアクセサリ情報と、前記電池電圧検出部の検出結果と、に基づいて前記アクセサリを制御する制御部と、を備える。
【発明の効果】
【００１１】
本発明に係る態様によれば、電池を効率的に、または電池を安定的に使うことができる。
【図面の簡単な説明】
【００１２】
【図１】本発明の第１実施形態によるデジタルカメラの外観を示す平面図である。
【図２Ａ】図１に示すデジタルカメラの電気回路構成を示すブロック図である。
【図２Ｂ】図２Ａに示す外部電源供給部の内部構成を示すブロック図である。
【図３】本発明の第２実施形態によるデジタルカメラの電気回路構成を示す平面図である。
【図４】本発明の第３実施形態による撮像装置の構成を示すブロック図である。
【図５】図４に示す撮像装置の構成について電源系統を中心に示すブロック図である。
【図６】図４に示す撮像装置における処理の手順を示すシーケンス図である。
【図７】図６に示すステップＳｂ１６０における処理の手順を示すフローチャートである。
【発明を実施するための形態】
【００１３】
（第１実施形態）
本発明による電子機器をデジタルカメラに適用した場合における、本発明を実施するための一形態について説明する。
【００１４】
図１は、本実施の形態によるデジタルカメラ１の外観を示す平面図である。
【００１５】
デジタルカメラ１は、カメラボディ（本体）２と、カメラボディ２の前面に着脱自在に設けられた撮影レンズ３とを備える。カメラボディ２の正面から見て左側には、撮影時に撮影者によって握られるグリップ部４が設けられている。グリップ部４の上面には、撮影用のシャッタボタンであるレリーズボタン５および電源スイッチ６が設けられており、レリーズボタン５の手前側のカメラボディ２の上面には、ＬＣＤ（Liquid Crystal Display）からなる表示部７が設けられている。グリップ部４と反対側のカメラボディ２の上面には、コマンドロックボタン８や、露出補正ボタン９、およびオートブラケティングボタン１０が、動作モードダイヤル１１の上方に設けられている。カメラボディ２の中央の上面にはペンター部１２が設けられている。ペンター部１２の上面には、外部アクセサリが装着されるアクセサリシュー（着脱部、装着部）１３が設けられている。
【００１６】
図２Ａは、デジタルカメラ１の電気回路構成を示すブロック図である。
【００１７】
リチウムイオン型二次電池である電池２１は、デジタルカメラ１を駆動させる電力を出力し、デジタルカメラ１は、電池２１から電力供給を受けて動作する。デジタルカメラ１の動作を制御する制御回路部２２は、ＥＥＰＲＯＭ（Electrically Erasable Programmable Read Only Memory）などからなる不揮発性メモリ、およびＲＡＭ（Random Access Memory）などからなるバッファメモリを備えている。制御回路部２２は、不揮発性メモリに格納されている制御プログラムに従い、バッファメモリを一時記憶作業領域として、操作部２３から入力される操作信号に応じて、ＣＰＵ（Central Processing Unit）によりデジタルカメラ１内部の各回路に種々の制御信号を出力する。操作部２３は、レリーズボタン５、電源スイッチ６、コマンドロックボタン８、露出補正ボタン９、オートブラケティングボタン１０、および動作モードダイヤル１１などを有する。
【００１８】
表示部７は、制御回路部２２から出力される制御信号に基づいて、露出モード，シャッタスピード，絞り値，フォーカスポイント，電池２１の残容量などの情報を表示する。負荷駆動部２４は、制御回路部２２から出力される制御信号に基づいて、負荷を駆動する。負荷には、駆動に際して大きな電力を消費する重負荷と、駆動に際して大きな電力を消費しない軽負荷とがある。重負荷には、例えば、撮影レンズ３を光軸方向に移動させて撮像素子の撮像面上に結像される被写体像の焦点を調節するレンズ駆動モータや、シャッタ幕を駆動するシャッタモータ、撮影レンズ３の露出を絞る絞りモータ、振れ補正レンズを移動させて手ぶれ補正を行うＶＲ（Vibration Reduction）モータなどがある。
【００１９】
外部電源供給部２５は、制御回路部２２の端子Ｐ１，Ｐ２から出力される制御信号に基づいて、アクセサリシュー１３を介してデジタルカメラ１に電気的に接続される外部アクセサリ２８へ、電池２１から出力される電力を端子Ｐ３から供給する。外部アクセサリ２８には、消費電力が比較的大きな被写体を照明する閃光装置や、消費電力が比較的小さなデジタルカメラ１の位置を測位するＧＰＳ（Global Positioning System）信号受信装置などがある。
これらの外部アクセサリ２８は、制御回路部２２の端子Ｐ４から出力される制御信号に基づいて動作が制御される。制御回路部２２は、外部アクセサリ２８として消費電力（定格電力）が大きい閃光装置がアクセサリシュー１３に接続された状態において、負荷駆動部２４によって重負荷、例えば、レンズ駆動モータなどを駆動している際に、閃光装置のメインコンデンサへの充電電流を制限して閃光装置が消費する電力を抑制する制御を外部電源供給部２５に対して行う。一方、外部アクセサリ２８として消費電力（定格電力）が小さいＧＰＳ信号受信装置がアクセサリシュー１３に接続された状態においては、重負荷であるレンズ駆動モータなどを負荷駆動部２４によって駆動している際でも、ＧＰＳ信号受信装置への駆動電流を制限することなく一定の電力を外部電源供給部２５によって供給する。制御回路部２２は、負荷駆動部２４によって負荷が駆動されている際に、電気的に接続されている外部アクセサリ２８の消費電力（定格電力）の大きさに応じて、電気的に接続されている外部アクセサリ２８が消費する電力を制限する制御を行う消費電力制限部を構成している。
【００２０】
外部電源供給部２５は、図２Ｂに示すように、ＦＥＴ（Field Effect Transistor）２９とＤＣＤＣコンバータ３０とを備える。制御回路部２２は、外部アクセサリ２８として消費電力が大きい閃光装置などが接続されていることを検出すると、端子Ｐ１からＦＥＴ２９のゲートに制御信号を出力してＦＥＴ２９をオンさせ、外部電源供給部２５の端子Ｐ３から電池２１の電力を直に外部アクセサリ２８へ供給する。一方、制御回路部２２は、外部アクセサリ２８として消費電力が小さいＧＰＳ信号受信装置などが接続されていることを検出すると、端子Ｐ２からＤＣＤＣコンバータ３０に制御信号を出力してＤＣＤＣコンバータ３０を駆動させ、電池２１の出力電圧をＤＣＤＣコンバータ３０によって電圧降下させて一定の定電圧にし、外部電源供給部２５の端子Ｐ３から外部アクセサリ２８へ電力を供給する。すなわち、外部電源供給部２５は、電池２１から出力される電力を電気的に接続されている外部アクセサリ２８の消費電力の大きさに応じ、電圧安定化回路を構成するＤＣＤＣコンバータ３０を経由させて、またはＤＣＤＣコンバータ３０を経由させずに直接、外部アクセサリ２８へ供給する。
【００２１】
制御回路部２２は、電池２１の出力電圧を検出する電圧検出部（電池電圧検出部）、および、デジタルカメラ１に電気的に接続された外部アクセサリ２８の種類を検出し、検出した外部アクセサリ２８の消費電力の大きさに応じて電池２１の残容量を判定する尺度を変更する尺度変更部を構成している。本実施形態では、電池２１の残容量が無いと判定する放電終止電圧の値を、尺度として使用する。放電終止電圧の値は、デジタルカメラ１の動作をすみやかに停止させると共に、安全にデジタルカメラ１の電源をオフにするために必要な電池２１の残容量を確保する値に設定される。電池２１の出力電圧が放電終止電圧の値に達すると、電池２１の残容量は無いものとみなされる。
【００２２】
また、制御回路部２２は、電池容量判定部を構成している。電池容量判定部は、電圧検出部によって検出された電池２１の出力電圧を、尺度変更部によって変更された尺度、本実施形態では、尺度変更部によって変更された放電終止電圧の値と比較して、尺度変更部によって変更された放電終止電圧の値の外部アクセサリ２８を使用した場合における電池２１の残容量を判定する。例えば、外部アクセサリ２８として、消費電力の大きな閃光装置に替えて消費電力の小さなＧＰＳ信号受信装置がデジタルカメラ１に接続された場合、尺度変更部によって電池２１の残容量を判定する尺度が閃光装置と比べて低いＧＰＳ信号受信装置の放電終止電圧の値に変更され、変更された放電終止電圧の値と電池２１の出力電圧の値とが比較されて電池２１の残容量が判定される。
【００２３】
デジタルカメラ１は、電池容量判定部で判定された電池２１の残容量を百分率の数値で表示するフューエルゲージ機能を備えている。電池容量判定部で判定された電池２１の残容量は、制御回路部２２の制御に基づいて、表示部７に表示される。制御回路部２２は、表示制御部を構成しており、電池容量判定部によって判定された電池２１の残容量を表示部７に表示させる。本実施形態では、表示制御部は、電池容量判定部で判定された電池２１の残容量を百分率で表示させ、例えば、電池２１が放電終止電圧の値に達して電池２１の残容量が無いと判定されたときは、表示部７に０％と表示させる。
【００２４】
本実施形態のデジタルカメラ１によれば、アクセサリシュー１３に電気的に接続された外部アクセサリ２８の消費電力の大きさに応じて、電池２１の残容量を判定する尺度が尺度変更部によって変更され、電圧検出部によって検出された電池２１の出力電圧が尺度変更部によって変更された尺度と比較されて、尺度変更部によって変更された尺度の外部アクセサリ２８を使用した場合における電池２１の残容量が電池容量判定部によって判定される。このため、消費電力が大きい外部アクセサリ２８、例えば、閃光装置が接続されて電池２１の残容量がないと判断された電池２１であっても、消費電力が小さい外部アクセサリ２８、例えば、ＧＰＳ信号受信装置が接続された場合には、電池２１の残容量があると判断されることがある。従って、電気的に接続された外部アクセサリ２８の消費電力の大きさに応じて、電池２１を無駄なく効率的に使うことができる。
【００２５】
本実施形態によれば、尺度変更部によって変更された、電池２１の残容量が無いと判定する放電終止電圧の値に基づいて、電池２１の残容量が電池容量判定部によって判定され、判定された電池２１の残容量が表示制御部によって百分率で表示部７に表示させられる。このため、電気的に接続された外部アクセサリ２８の消費電力の大きさに応じて表示される電池２１の残容量が、具体的な数値で把握される。
【００２６】
本実施形態によれば、負荷駆動部２４によって負荷が駆動されている際に、アクセサリシュー１３に電気的に接続されている外部アクセサリ２８の消費電力の大きさに応じて、外部アクセサリ２８が消費する電力を制限する制御が、消費電力制限部によって行われる。このため、負荷駆動部２４によって負荷が駆動されている際に、電池２１が放電能力以上に過電流を出力する虞がなくなり、電池２１の劣化が防止されて、電池２１を安定的に使うことができる。
【００２７】
本実施形態によれば、電池２１から出力される電力は、外部電源供給部２５により、電気的に接続されている外部アクセサリ２８の消費電力の大きさが小さい場合には、ＤＣＤＣコンバータ３０を経由させて外部アクセサリ２８へ安定的に供給され、外部アクセサリ２８の消費電力の大きさが大きい場合には、ＤＣＤＣコンバータ３０を経由させずに直接外部アクセサリ２８へ供給される。このため、電気的に接続された外部アクセサリ２８の消費電力の大きさに応じて効率よく、電池２１の電力を外部アクセサリ２８へ供給することができる。
【００２８】
なお、上記実施形態では、尺度変更部が放電終止電圧の値を尺度として変更し、電池容量判定部が、尺度変更部によって変更された放電終止電圧の値に基づいて電池２１の残容量を判定し、判定した電池２１の残容量を百分率でフューエルゲージ表示させる構成について説明したが、本発明はこれに限られることはない。例えば、尺度変更部が所定の閾値電圧を尺度として変更し、電池容量判定部が、電圧検出部によって検出された電池２１の出力電圧を所定の閾値電圧と比較して電池２１の残容量を判定する構成にしてもよい。この構成によれば、電圧検出部によって検出された電池２１の出力電圧が、アクセサリシュー１３に電気的に接続される外部アクセサリ２８の消費電力の大きさに応じて尺度変更部によって変更される、例えば２つの所定の閾値電圧と比較されて３段階に区分され、電池２１の残容量が電池容量判定部によって判定される。このため、電池残容量を百分率で表示するフューエルゲージ機能を備えていないデジタルカメラ１であっても、電気的に接続された外部アクセサリ２８の消費電力の大きさに応じて、電池２１の残容量が表示制御部により表示部７に段階的に例えば３段階の電池マークとして表示させられる。
【００２９】
また、上記実施形態では、電池２１をリチウムイオン型二次電池とした場合について説明したが、本発明はこれに限られることはない。例えば、電池２１をアルカリ型一次電池などにしてもよい。このような電池を用いてアクセサリシュー１３に閃光装置が接続された場合、尺度変更部は、電気的に接続された電池２１の種類に応じて、放電終止電圧の値や所定の閾値電圧といった尺度を変更する。
【００３０】
また、上記実施形態では、電池２１の残容量を表示部７に表示させる場合について説明したが、本発明はこれに限られることはない。例えば、電池２１の残容量をカメラボディ２の背面に設けられたＴＦＴ（Thin Film Transistor）液晶などからなる背面モニタに表示させるようにしてもよい。この構成においても、上記実施形態と同様の作用効果が奏される。
【００３１】
また、上記実施形態においては、閃光装置やＧＰＳ信号受信装置といった外部アクセサリ２８が同じ１つのアクセサリシュー１３に接続され、アクセサリシュー１３に接続される外部アクセサリ２８の種類に応じて消費する電力を制限する制御を行うか否かを選択する場合について説明したが、本発明はこれに限られることはない。例えば、閃光装置がアクセサリシュー１３に接続されると共に、ＧＰＳ信号受信装置がカメラボディ２の側部などに設けられた１０ピンコネクタに接続され、閃光装置とＧＰＳ信号受信装置の両方の外部アクセサリ２８が同時に使用される場合には、閃光装置とＧＰＳ信号受信装置の両方を合わせて、消費する電力を制限する制御を行うようにしてもよい。
【００３２】
また、上記実施形態においては、外部アクセサリ２８が消費する電力の制限をデジタルカメラ１側で行う場合について説明したが、本発明はこれに限られることはない。例えば、デジタルカメラ１の制御回路部２２から外部アクセサリ２８へ制御信号を出力し、外部アクセサリ２８側で、外部アクセサリ２８が消費する電力の制限を行うようにしてもよい。
【００３３】
また、上記実施形態においては、外部アクセサリ２８の一例として閃光装置およびＧＰＳ信号受信装置を用いて説明したが、本発明はこれに限られることはない。例えば、外部アクセサリ２８は、消費電力の大きなＬＥＤ（Light Emitting Diode）照明装置などであってもよく、外部アクセサリ２８の種類はこれらに限定されるものではない。
【００３４】
（第２実施形態）
図３は、本発明に係る第２実施形態におけるデジタルカメラ１の電気回路構成を示すブロック図である。
図３においては、制御回路部２２は、図２Ａのブロック図に示す構成に加え対し、外部アクセサリと電気的に接続可能な端子Ｐ５、Ｐ６、およびＰ７をさらに備える構成となっている。アクセサリシュー１３１には、端子Ｐ５、Ｐ６、及びＰ７に対応する端子が設けられている。アクセサリシュー１３１において、本体側の端子と外部アクセサリ２８の端子とが機械的及び電気的に接続可能である。以下の説明では、図２Ａのブロック図と共通する構成要素に関する記述は適宜省略する。
【００３５】
デジタルカメラ１は、外部アクセサリ２８からの装着信号を、端子Ｐ５（認識部）を介し受信し、外部アクセサリ２８との接続を認識する。
デジタルカメラ１は、端子Ｐ６および端子Ｐ７（通信部）を介し外部アクセサリ２８との通信を行う。通信の内容は、例えば、外部アクセサリ負荷情報、外部アクセサリ負荷情報要求メッセージ、外部アクセサリ識別情報、外部アクセサリ識別情報要求メッセージ、外部アクセサリの接続状態を含む外部アクセサリ状態情報など、を含むアクセサリ情報がある。これらアクセサリ情報は、電気的に接続されている外部アクセサリ２８の消費電力（定格電力）の大きさに対応して、記憶部（バッファメモリ、不揮発性メモリ等）に記憶されてもよい。
【００３６】
本実施形態において、外部アクセサリ２８は独自の外部アクセサリ負荷情報(外部アクセサリ負荷情報テーブル)を持つ。デジタルカメラ１は、外部アクセサリ２８との接続を認識すると、負荷情報要求メッセージを外部アクセサリ２８へ送信する。外部アクセサリ２８は、負荷情報要求メッセージを受信すると、負荷情報をデジタルカメラ１へと送信する。デジタルカメラ１は、受信した負荷情報に基づいて、上述したような、外部アクセサリ２８の動作の制御および外部電源供給部２５の制御などを行う。
なお、デジタルカメラ１は、受信した負荷情報をバッファメモリに一時的に記憶でき、この一時記憶中は、上記制御を行うごとに外部アクセサリ２８が持つ負荷情報を読み出す必要はなくなり、負荷情報の通信処理を省略できる。
本実施形態においては、外部アクセサリ２８が独自の負荷情報を持っているため、デジタルカメラ１は、デジタルカメラ１に対し新規となる外部アクセサリが接続されても、その新規外部アクセサリに対応した制御を行うことができる。
【００３７】
なお、デジタルカメラ１が、接続されている外部アクセサリ２８に対応する負荷情報を、制御に反映できれば、負荷情報の保持（記憶）または負荷情報の通信の態様は特に限定されない。
例えば、デジタルカメラ１が複数の外部アクセサリ負荷情報を持ち、外部アクセサリ２８が独自の外部アクセサリ識別情報を持つことができる。デジタルカメラ１は、外部アクセサリ２８との接続を認識すると、外部アクセサリ識別情報要求メッセージを外部アクセサリ２８へ送信する。外部アクセサリ２８は、外部アクセサリ識別情報要求メッセージを受信すると、外部アクセサリ識別情報をデジタルカメラ１へと送信する。デジタルカメラ１は、受信した外部アクセサリ識別情報に対応する、自身が持つ外部アクセサリ負荷情報を特定する。デジタルカメラ１は、特定した外部アクセサリ負荷情報に基づいて、上述したような、外部アクセサリ２８の動作の制御および外部電源供給部２５の制御などを行うことができる。
【００３８】
また、デジタルカメラ１が、接続されている外部アクセサリ２８に対応する負荷情報を制御に反映できれば、負荷情報の校正または更新（記録）の態様は特に限定されない。
例えば、デジタルカメラ１が備える不揮発性メモリに対し、デジタルカメラ１が持つ外部アクセサリ負荷情報などを更新するための端子をさらに設けてもよい。
また、例えば、端子Ｐ６および端子Ｐ７などの通信部を介し、デジタルカメラ１が備える不揮発性メモリに対し、デジタルカメラ１が持つ外部アクセサリ負荷情報を、接続されている外部アクセサリ２８が持つ独自の外部アクセサリ負荷情報に基づいて校正または更新してもよい。
【００３９】
また、上記実施形態においては、ＤＣＤＣコンバータ３０によって、電池２１の出力電圧を電圧降下させて一定の定電圧にし、外部電源供給部２５の端子Ｐ３から外部アクセサリ２８へ供給する構成として説明したが、本発明はこれに限られることはない。
例えば、電池２１の出力電圧を電圧降下させて一定の定電圧にすることができれば、ＤＣＤＣコンバータ３０は、その他の可変コンバータなどであってもよい。
【００４０】
また、上記実施形態において、デジタルカメラ１は、端子を介した信号の通信によって、外部アクセサリ２８の識別を行っているが、本発明はこれに限られることはない。
例えば、外部アクセサリ２８側に、外部アクセサリ２８独自の凸部を設け、デジタルカメラ１側に、複数の外部アクセサリ２８のそれぞれ独自の凸部と嵌合する一つ以上の凹部を設け、前記凸部と前記凹部との嵌合をトリガーにして、デジタルカメラ１が外部アクセサリ２８の識別を行ってもよい。
また、例えば、デジタルカメラ１に複数の外部アクセサリ２８それぞれに対応する専用端子を設け、外部アクセサリ２８と接続している端子を識別することによって、外部アクセサリ２８の識別を行ってもよい。
【００４１】
また、上記実施形態では、本発明による電子機器をデジタルカメラ１に適用した場合について説明したが、本発明はこれに限られることはない。カメラ以外の電子機器、例えば、オプションの外部機器を適宜装着させて使用する携帯電話機などの電子機器に本発明を適用してもよい。このような電子機器に本発明を適用した場合においても、上記実施形態と同様な作用効果が奏される。
【００４２】
（第３実施形態）
次に、本発明の第３実施形態について、図面を参照して説明する。
図４は、本実施形態による撮像装置（カメラ、デジタルカメラ）の構成を示すブロック図である。
この図４に示される撮像装置１０１は、カメラボディ（本体）１００及びカメラボディ１００に取り付けられるアクセサリとして、レンズ鏡筒２００及び発光装置３００を備える。
【００４３】
撮像装置１０１においてレンズ鏡筒２００は、光学系２１０、光学系駆動部２２０、光学系制御部２３０を備える。
レンズ鏡筒２００における光学系２１０は、撮像素子１０８への光の出力を調整する光学素子と、その光学素子などを保護する鏡筒部などを備えている。例えば、光学系２１０は、焦点を調整する機能、通過する光量を調整する絞り機能、撮影画角を変更するズーム機能、手ブレによる像揺れを補正する機能などを有し、それぞれの状態を検出する各種センサー、エンコーダなどが設けられる。光学系駆動部２２０は、制御部１２０からの制御信号に応じて光学系２１０をモータなどのアクチュエータによって駆動して、撮像素子１０８への光の出力を調整する。例えば、光学系駆動部２２０は、光学系２１０の焦点を調整するフォーカシング制御、絞りにより通過する光量を調整する露出制御、撮影画角を変更するズーミング制御、手ブレによる像揺れを補正する手ブレ補正（ＶＲ）制御を、光学系制御部２３０からの制御指令に応じて行う。光学系駆動部２２０は、それぞれの制御指令に応じて、光学系２１０のフォーカシング制御を行うにはオートフォーカス（ＡＦ）制御用モータを駆動し、露出制御を行うには絞り開口制御用モータを駆動し、ズーミング制御を行うにはパワーズーム制御用モータを駆動し、手ブレ補正（ＶＲ）制御を行うにはＶＲ制御用モータを駆動する。また、光学系駆動部２２０は、光学系制御部２３０からの指令に応じてレンズ鏡筒２００を伸筒又は縮筒させる伸筒・縮筒制御用モータを駆動する。
【００４４】
光学系制御部２３０は、光学系２１０に設けられた各種センサー、エンコーダの情報を収集し、制御部１２０に通知する。光学系制御部２３０から通知される情報には、レンズ鏡筒２００の種類を示すレンズ種類情報、レンズ焦点距離情報、絞り機能によって設定された絞り値、焦点調整機能により設定された被写体焦点距離情報、消費電力情報などが含まれる。その消費電力情報は、駆動状態に消費する消費電力を示し、レンズ種類情報や、駆動されている状態に応じて変化する情報である。
このような、レンズ鏡筒２００は、カメラボディ１００に設けられているレンズ・マウント部１００Ｍを介して、カメラボディ１００と着脱可能な状態に固定して、カメラボディ１００に取り付けられる。
【００４５】
撮像装置１０１において発光装置３００は、発光部３１０、充電部３２０、及び、発光部制御部３３０を備える。
発光部３１０は、カメラボディ１００側からの指示に応じたタイミングにより、撮像に必要とされる照度を確保するための補助光を被写体に照射する。
充電部３２０は、カメラボディ１００側から電力の供給を受け、発光部３１０を発行させる際に必要とされる電力を、内部に備える静電容量に充電する。
発光部制御部３３０は、発光部３１０に設けられた各種センサーにより、充電部３２０の充電状態を検出し、検出した充電量に応じた情報を生成し、制御部１２０に通知する。発光部制御部３３０から通知される情報には、検出された充電部３２０の充電残量を示す情報、充電中であるか否かを示す情報などが含まれる。
また、発光部制御部３３０は、カメラボディ１００からの指示に応じて、充電部３２０を制御して、充電部３２０に充電を行わせる。そして、発光部制御部３３０は、充電された電力を用いて発光部３１０に発光させる制御を行う。
なお、本実施形態における発光装置３００は、カメラボディ１００に接続されるものとして説明するが、他の形態を制限するものではなく、カメラボディ１００内に設けられていてもよい。
このような、発光装置３００は、カメラボディ１００において、ペンタプリズム等を収納している軍艦部に設けられた発光装置取付部（フラッシュシュー）１００Ｆを介して、カメラボディ１００と着脱可能な状態で、カメラボディ１００に取り付けられる。
【００４６】
撮像装置１０１においてカメラボディ１００は、撮像処理部１１０、不揮発メモリ１１１、バッファメモリ１１２、操作検出回路１１３、モニター制御回路１１４、モニター１１５、メモリ制御回路１１６、メモリ１１７、制御部１２０、電圧検出部（電池電圧検出部）１５１、定電圧制御部１５２、及びシャッタ駆動部１８０を備える。また、カメラボディ１００には、撮像装置１０１を駆動する電力を供給する電池１９０を収納する電池収納部１９０Ｂが設けられている。
カメラボディ１００における撮像処理部１１０は、撮像素子制御回路１０７、撮像素子１０８及び映像回路１０９を備える。撮像素子１０８は、ＣＣＤ（Charge Coupled Device）或いはＣＭＯＳ（Complementary Metal Oxide Semiconductor）センサーなどの受光素子であり、光学系２１０から出力され結像された像を電気信号に変換してアナログの画像信号を出力する。
撮像素子１０８には、映像回路１０９と、撮像素子制御回路１０７とが接続されている。映像回路１０９は、撮像素子１０８が出力する画像信号を増幅し、デジタル信号に変換する。撮像素子制御回路１０７は、撮像素子１０８を駆動させ、撮像素子１０８により結像された像の画像信号への変換や、変換された画像信号の出力などの動作を制御する。
【００４７】
不揮発メモリ１１１には、制御部１２０を動作させるプログラムや、撮像され生成された画像データ、装置の状態を示す情報、負荷の消費電力を示す情報、ユーザーから入力された各種設定や撮像条件などの情報が記憶される。
また、装置の状態を示す情報には、カメラボディ１００の電池収納部１９０Ｂに収納された電池１９０の電圧情報、レンズ鏡筒２００の各アクチュエータの制御状態を示す情報などがある。
また、負荷の消費電力を示す情報には、レンズ鏡筒２００に設けられた各アクチュエータの消費電力、発光装置３００に設けられた充電部３２０の消費電力などがある。
バッファメモリ１１２は、制御部１２０の制御処理に用いられる一時的な情報の記憶領域であり、例えば、撮像素子１０８から出力される画像信号や、画像信号に応じて生成された画像データなどが制御部１２０によって一時的に記憶される。
【００４８】
操作検出回路１１３は、入力部に入力されたユーザーの操作を検出し、検出した操作情報を制御信号として制御部１２０に入力する。入力部は、例えば電源スイッチ１１３ａ、レリーズスイッチ１１３ｂ、・・・、１１３ｚなどを備える。
モニター制御回路１１４は、例えば、モニター１１５の点灯、消灯や明るさ調整などの表示制御や、制御部１２０から出力される画像データをモニター１１５に表示させる処理を行う。
モニター１１５は、画像データを表示し、例えば、液晶ディスプレイ（ＬＣＤ：Liquid Crystal Display）で構成される。
【００４９】
メモリ制御回路１１６は、制御部１２０とメモリ１１７との情報の入出力を制御し、例えば、制御部１２０によって生成された画像データなどの情報をメモリ１１７に記憶させる処理や、メモリ１１７に記憶されている画像データなどの情報を読み出して制御部１２０に出力する処理などを行う。メモリ１１７は、例えば、メモリカードなどカメラボディ１００から抜き差し可能な記憶媒体であり、制御部１２０によって生成される画像データなどが記憶される。
【００５０】
電圧検出部１５１は、制御部１２０からの指示に従ったタイミングにより、電池１９０から出力される電源電圧、すなわち定電圧制御部１５２の入力電圧を検出する。電圧検出部１５１は、検出した電源電圧を制御部１２０に供給する。
定電圧制御部１５２は、電池収納部１９０Ｂに収納された電池１９０から供給される電力を変換し、出力する電源の電圧を安定化する定電圧制御を行う。定電圧制御部１５２は、出力電圧を安定化してカメラボディ１００内の制御部１２０、及び、アクセサリの制御部（例えば、レンズ鏡筒２００の光学系制御部２３０）などに電源として供給する。
シャッタ駆動部１８０は、撮像素子１０８の受光面を遮光するシャッタを駆動して、シャッタの開閉を制御する。シャッタ駆動部１８０は、カメラボディ１００内における電池１９０の負荷の中でも駆動時の消費電力が多いため、重負荷に分類する。
さらに、定電圧制御部１５２によって安定化制御されずに、電池１９０からの電力を直接供給する電源系統がある。以下、撮像装置における電源系統について説明する。
【００５１】
図５は、撮像装置の構成について電源系統を中心に示すブロック図である。図４と同じ構成には、同じ符号を附す。
図５に示されるブロック図では、アクセサリとして、レンズ鏡筒２００を例示する。
図５において、定電圧制御部１５２は端子Ｐ１０１を介し制御部１２０と接続され、電圧検出部１５１は端子Ｐ１０２および端子Ｐ１０３を介し制御部１２０と接続され、光学系制御部２３０は端子Ｐ１０４を介し制御部１２０と接続され、シャッタ駆動部１８０は端子Ｐ１０５を介し制御部１２０と接続され、モニター制御回路１１４は端子Ｐ１０６を介し制御部１２０と接続されている。
電池収納部１９０Ｂに収納されている電池１９０は、撮像装置１０１を駆動する電力を供給する。その電池１９０には、定電圧制御部１５２、シャッタ駆動部１８０、及び、レンズ鏡筒２００の光学系駆動部２２０が接続され、電池１９０からの電力が、各機能部に電源として供給される。
カメラボディ１００内のシャッタ駆動部１８０（重負荷）や、カメラボディ１００に接続されるレンズ鏡筒２００の光学系駆動部２２０には、変換効率を高めるために、電池１９０からの電力を直接供給する。その電池１９０から出力される電源電圧は、電池１９０の充電状態、負荷への電力供給状態、環境温度などにより変化することがある。
そのため、カメラボディ１００内の各機能部において、ある所定の電源電圧変動幅に収まるように、供給を受ける電源電圧を安定化させる必要がある各機能部には、定電圧制御部１５２を介して供給する。定電圧制御部１５２は、安定化した電圧を、カメラボディ１００内の各機能部の電源として供給することにより、負荷変動などの要因による電源電圧変動の影響を回避する。定電圧制御部１５２の出力電圧が安定化できるには、その入力電圧範囲が所定の範囲にあることが必要とされる。
【００５２】
図４に戻り、制御部１２０について説明する。
制御部１２０は、不揮発メモリ１１１に記憶されたプログラムに基づいてカメラボディ１００の各部の動作を制御するＣＰＵ（Central Processing Unit）などからなる。例えば、制御部１２０は、操作検出回路１１３に入力されるユーザーからの操作情報に応じて、カメラボディ１００への電源の投入、光学系駆動部２２０を介した光学系２１０の駆動制御、撮像素子制御回路１０７を介した撮像素子１０８の駆動制御、モニター制御回路１１４を介したモニター１１５の表示制御、撮像素子１０８で検出した被写体の撮影処理の制御を行う。
【００５３】
制御部１２０は、画像処理部１２１、表示制御部１２２、撮影制御部１２３、操作検出処理部１２４、電源電圧判定部１２５及び通信部１２６を備える。
制御部１２０における画像処理部１２１は、撮像素子１０８の撮像領域内に捉えられ映像回路１０９に出力された画像信号を読み出し、読み出した画像信号に基づいて画像データを生成する画像処理を行う。画像処理部１２１は、画像処理により生成した画像データをバッファメモリ１１２に記憶させる。表示制御部１２２は、画像処理部１２１によって生成されバッファメモリ１１２に記憶された画像データを一定時間間隔毎に読み出し、読み出した画像データをリアルタイムにモニター１１５に表示させ、動画像としてメモリ１１７に記録させる。また、表示制御部１２２は、電源電圧判定部１２５の判定結果に応じて、電池の充電残量をモニター１１５に表示させる。
【００５４】
撮影制御部１２３は、ユーザーの操作入力に基づいた撮影処理の撮影処理開始指令又は撮影処理終了指令などの制御信号が操作検出回路１１３から入力されることに応じて、各部に対して必要な制御信号を出力する。撮影制御部１２３は、撮像処理開始命令が入力されると光学系２１０を駆動させ、画像データを生成する撮像処理を行う。撮影制御部１２３は、予めユーザーから入力された撮影条件に応じて、光学系制御部２３０を介して光学系２１０のフォーカシング、露出制御、ズーミング、手ブレ補正（ＶＲ）制御などの制御を行う。
また、撮影制御部１２３は、その撮影を行う際に、シャッタ駆動部１８０を駆動させて、シャッタの開閉を制御して撮像素子１０８の受光面にレンズ鏡筒２００からの光を、その光の光量に応じた所定の長さの時間だけ照射させる。
さらに、撮影制御部１２３は、必要に応じて、発光装置３００を制御して、撮像タイミングに同期させて、発光部３１０を発光させる。
【００５５】
操作検出処理部１２４は、操作検出回路１１３が検出したユーザーの操作情報を判定し、判定した情報をメモリ１１７に記録するとともに、必要とされる各種処理の制御指令を出力する。例えば、オートフォーカス（ＡＦ）処理では、操作検出回路１１３によりＡＦ操作を検出すると、レンズ鏡筒２００における光学系駆動部２２０のＡＦ制御を行うＡＦ制御用モータを駆動して光学系２１０を調整することによりＡＦ制御を行う。
【００５６】
電源電圧判定部１２５は、電池１９０から出力される電源電圧が電圧検出部１５１によって検出され、その検出された電源電圧と判定閾値とを比較することにより、電池１９０における残量を判定する。
電源電圧判定部１２５は、電圧検出部１５１によって検出された電源電圧を判定する判定部１２５Ａと１２５Ｂを有しており、各判定部は、光学系駆動部２２０（負荷部）の種類又は状態に応じて、検出された電源電圧の判定方法を変更する。
判定部１２５Ａ（第１の判定部）は、電圧検出部１５１によって繰り返し検出された電源電圧の値を平均した平均電源電圧の値が、判定閾値によって分割される範囲のうち、いずれの範囲に含まれているかを判定する。
また、判定部１２５Ｂ（第２の判定部）は、電圧検出部１５１によって繰り返し検出された電源電圧の値が、判定閾値によって分割される範囲のうち、いずれの範囲に含まれているかをそれぞれ判定する。そして、電源電圧判定部１２５は、その判定部１２５Ｂによる判定結果により、同じ判定結果を示す判定結果の数に基づいて、電源電圧の値が、判定閾値によって分割される範囲のうち、いずれの範囲に含まれているかを判定する。
【００５７】
主な負荷が、レンズ鏡筒２００にある場合には、電源電圧判定部１２５は、光学系駆動部２２０（駆動部）を駆動する駆動電力量、動作するアクチュエータの種類とその動作状況に応じて判定部を選択することができる。電源電圧判定部１２５は、光学系駆動部２２０（駆動部）を駆動する期間が重複するか否かに応じて、判定部１２５Ａと１２５Ｂとのうちから、いずれか一方を選択してもよい。例えば、電源電圧判定部１２５は、光学系駆動部２２０（駆動部）を駆動する期間が重複する場合には、判定部１２５Ａを選択し、駆動する期間が重複せずに排他的に駆動される場合には判定部１２５Ｂを選択する。
【００５８】
或いは、主な負荷が、発光装置３００（図４）にある場合には、電源電圧判定部１２５は、発光装置３００における充電部３２０（負荷）の種類又は状態に応じて、検出された電源電圧を判定する判定部を変更する。例えば、電源電圧判定部１２５は、発光装置３００における充電部３２０（駆動部）を駆動する際、発光部３１０を発光させた直後のように、充電部３２０が備える静電容量からの放電量が多く、充電状況から多くの充電が必要であると判定されるような場合には、充電能力の範囲の限界値により充電を行うことにより、充電状態を早く回復させることができる。このような場合には、判定部１２５Ａを選択して判定させることにより、電圧変化率が大きくなる電圧範囲においても、実際の充電量に応じた結果を導くことが可能となる。なお、判定部１２５Ａによる演算処理は、移動平均演算処理として知られている。
一方、充電量が回復した場合や、放電量が少なく継ぎ足し充電の状態にある場合は、判定部１２５Ｂを選択して判定させ、断続して充電と非充電のタイミングを切り替えることにより、検出電圧がその充電タイミングに同期して変動する場合であっても、頻繁に判定結果が変動することなく、安定した結果を導くことが可能となる。
【００５９】
また、電源電圧判定部１２５は、負荷部（例えば、光学系駆動部２２０）の消費電力量に応じて、判定閾値を変更する。電源電圧判定部１２５は、負荷部（例えば、光学系駆動部２２０）の種類又は状態を消費電力情報として取得する。その消費電力情報は、負荷部（例えば、光学系駆動部２２０）の消費電力量に応じた情報であり、電源電圧判定部１２５は、その消費電力情報を、負荷制御部（例えば、光学系制御部２３０）から予め取得して、該取得した消費電力情報に基づいて判定閾値を変更する。
【００６０】
例えば、通信部１２６は、各負荷（アクセサリ）にそれぞれ設けられている負荷制御部と通信可能な状態で接続される。通信部１２６は、アクセサリの負荷制御部と通信することにより、負荷制御部に負荷部を駆動させる制御指令を送出する。また、通信部１２６は、アクセサリの負荷制御部と通信することにより、負荷部での消費電力情報を取得する。
【００６１】
＜判定処理の手順＞
図６は、撮像装置における処理の手順を示すシーケンス図である。
図６には、カメラボディ１００の制御部１２０とレンズ鏡筒２００の光学系制御部２３０との間の通信処理と、それぞれにおいて行われる処理を合わせて示している。
【００６２】
最初に、カメラボディ１００の制御部１２０は、ユーザーの操作を操作検出処理部１２４により検出する（ステップＳｂ１１０）。制御部１２０は、検出されたユーザーの操作に応じて、光学系２１０を駆動するための制御指令をメッセージ形式によって、レンズ鏡筒２００の光学系制御部２３０に送信する。その制御指令に対応するメッセージは、通信部１２６によって、レンズ鏡筒２００の光学系制御部２３０に送信される（ステップＳｂ１２０）。
レンズ鏡筒２００の光学系制御部２３０は、その制御指令に対応するメッセージを通信部１２６から受信する（ステップＳａ１２０）。
カメラボディ１００の制御部１２０は、その制御指令に従って光学系２１０を駆動する際に必要とされる消費電力情報の要求をメッセージ形式によって、レンズ鏡筒２００の光学系制御部２３０に送信する（ステップＳｂ１３０）。
なお、このステップＳｂ１２０とステップＳｂ１３０の処理は、同一のメッセージ内に含めて送信してもよい。
【００６３】
レンズ鏡筒２００の光学系制御部２３０は、ステップＳａ１２０において、カメラボディ１００の制御部１２０から光学系２１０を駆動するための制御指令に対応するメッセージを受信した後、その制御指令に従って光学系２１０を駆動する際に必要とされる消費電力を示す消費電力情報の要求に対応するメッセージを受信する（ステップＳａ１３０）。
レンズ鏡筒２００の光学系制御部２３０は、それらのメッセージに基づいた要求に応じて、カメラボディ１００の制御部１２０に、光学系２１０を駆動する際に必要とされる消費電力情報の要求をメッセージ形式によって送信する（ステップＳａ１４０）。
また、レンズ鏡筒２００の光学系制御部２３０は、受信した制御指令に応じて、光学系２１０の駆動を開始し、必要な処理が終わるまで継続させる（ステップＳａ１５０）。
【００６４】
また、カメラボディ１００の制御部１２０は、レンズ鏡筒２００の光学系制御部２３０から、光学系２１０を駆動する際に必要とされる消費電力情報の要求に対応するメッセージを通信部１２６によって受信する（ステップＳｂ１４０）。
制御部１２０の電源電圧判定部１２５は、取得した消費電力情報に従って、電池１９０が出力する電源電圧を判定する。電源電圧判定部１２５は、ステップＳｂ１４０によって取得した消費電力情報に従って選択される判定部により、電池１９０が出力する電源電圧を判定するとともに、モニター制御回路１１４によって、電池１９０の充電残量をモニター１１５に表示させる（ステップＳｂ１６０）。
【００６５】
次に、図７を参照して前述のステップＳｂ１６０の処理について説明する。
図７は、ステップＳｂ１６０における処理の手順を示すフローチャートである。
この図７に示される処理は、制御部１２０の内部に備える計時部（不図示）によって計数されたタイミングに応じて繰り返し行われる。
【００６６】
電源電圧判定部１２５は、ステップＳｂ１４０（図６）において、消費電力情報として取得した負荷の種類又は状態を検出する（ステップＳｂ１６１）。
電源電圧判定部１２５は、消費電力情報により、負荷が重負荷であるか否かを判定することにより、電源電圧の判定を行う判定部を選択する（ステップＳｂ１６２）。すなわち、電源電圧の判定部は、消費電力情報として取得された負荷の種類と状態に基づいて選択される。その選択により、判定部１２５Ａが選択された場合には、判定部１２５ＡによるステップＳｂ１６３からの処理、或いは、判定部１２５Ｂが選択された場合には、判定部１２５ＢによるステップＳｂ１６６からの処理のいずれか一方の処理が行われる。
【００６７】
ステップＳｂ１６２における判定の結果により、負荷が重負荷であると判定される場合（ステップＳｂ１６２：第１の判定方法）は、判定部１２５Ａにより「平均値による判定」を以下の手順により行う。
電圧検出部１５１は、電源電圧の検出を行い、バッファメモリ１１２に検出した電源電圧の値を記憶させる（ステップＳｂ１６３）。
電源電圧判定部１２５は、バッファメモリ１１２が記憶している繰り返し検出された電源電圧の値と、ステップＳｂ１６３において検出された電源電圧の値とを平均する平均化処理を行って平均電源電圧を算出する。
電源電圧判定部１２５は、算出された平均電源電圧の値が、判定閾値によって分割される範囲のうち、いずれの範囲に含まれているかを判定し、現在の電源電圧の判定値とする（ステップＳｂ１６４）。
電源電圧判定部１２５は、現在の電源電圧の判定値とされた判定結果を有効な判定であるとする。表示制御部１２３は、その判定結果に従って、モニター制御回路１１４によって、電池１９０の充電残量をモニター１１５に表示させる（ステップＳｂ１６５）。
【００６８】
また、ステップＳｂ１６２における判定結果により、負荷が重負荷でないと判定される場合（ステップＳｂ１６２：第２の判定方法）は、判定部１２５Ｂにより「一致方式による判定」を以下の手順により行う。
電圧検出部１５１は、電源電圧の検出を行い、バッファメモリ１１２に検出した電源電圧の値を記憶させる（ステップＳｂ１６６）。
電源電圧判定部１２５は、バッファメモリ１１２が記憶している繰り返し検出された電源電圧の値と、ステップＳｂ１６３において検出された電源電圧の値とについて、判定閾値によって分割される範囲のうち、いずれの範囲に含まれているかをそれぞれ判定する（ステップＳｂ１６７）。
【００６９】
電源電圧判定部１２５は、それぞれの判定において、それぞれ電源電圧の値を判定した結果が、同じ判定結果を示す判定結果の数に基づいて、電源電圧の値を判定する。
例えば、それぞれの判定結果が全て一致したか否かを判定する。すなわち、全ての判定結果が同じ電源電圧の範囲にあると判定されたか否かを判定する（ステップＳｂ１６８）。
【００７０】
ステップＳｂ１６８における判定の結果、全ての判定結果が同じ電源電圧の範囲にあると判定された場合（ステップＳｂ１６８：Ｙｅｓ）、その判定結果を有効な判定結果とするステップＳｂ１６５の処理に進む。
【００７１】
ステップＳｂ１６８における判定の結果、いずれかの判定結果が異なる電源電圧の範囲にあると判定された場合（ステップＳｂ１６８：Ｎｏ）、その判定結果を無効な判定結果とする（ステップＳｂ１６９）。
【００７２】
撮像装置１０１では、このような負荷の消費電力の大きさに応じて判定を行うことにより、消費電力が大きな重負荷が駆動している状態であっても、電池残量を正確に判定することが可能となる。消費電力が大きな重負荷が駆動することにより、電池１９０が出力する電源電圧が変動する。
撮像装置１０１では、駆動される負荷の消費電力に応じた電池残量の判定を行い、負荷の消費電力が電池から供給される電力の供給能力の範囲内に収まるように、負荷の消費電力を調整して負荷を駆動制御することにより、電池容量を有効に使いきることができる。
【００７３】
なお、本発明は、上記の各実施形態に限定されるものではなく、本発明の趣旨を逸脱しない範囲で変更可能である。本発明のカメラボディ及び撮像装置における、電源電圧判定については、一実施態様を示したものに過ぎず、平均化処理における情報量の数、及び周期については、予め所定の値に適宜定めることができる。
【００７４】
（１）上記実施形態において、撮像装置１０１及びカメラボディ１００では、負荷部を備えたアクセサリ（レンズ鏡筒２００、発光装置３００）を着脱可能な着脱部（装着部、レンズ・マウント部１００Ｍ、発光装置取付部（フラッシュシュー）１００Ｆ）と、電池１９０を収納可能な電池収納部１９０Ｂと、着脱部に装着されているアクセサリに対して、電池収納部１９０Ｂに収納された電池１９０から出力される電力の供給制御を行う制御部１２０と、を備えている。制御部１２０は、アクセサリと通信して、負荷部での消費電力情報を取得する通信部１２６と、電池１９０から出力される電源電圧が検出され、該電源電圧の値と所定の判定閾値とを比較することにより、電池１９０の残量を判定する電源電圧判定部１２５と、を備え、電源電圧判定部１２５は、通信部１２６で取得した消費電力情報に基づいて、判定閾値を変更する。
【００７５】
このような構成を備えていることにより、撮像装置１０１（カメラボディ１００）は、アクセサリ側の部材を駆動する際に、その部材を駆動するのに必要な電力情報を、その都度（カメラボディ１００がアクセサリに対して動作を要求する都度）アクセサリ側から入手することができる。また、その入手した情報を、正しく判定することができるようになることから、その判定結果に基づいてバッテリチェックに反映させることができる。
【００７６】
（２）また、電源電圧判定部１２５は、負荷部での消費電力情報を負荷部から予め取得して、該取得した消費電力情報に基づいて判定閾値を変更する。
（３）また、電源電圧判定部１２５は、負荷部の種類又は状態を消費電力情報として取得し、負荷部の種類又は状態に応じて、検出された電源電圧の判定方法を変更する。
このように、すでに他の処理に用いられている情報を判定条件とすることにより、新たな情報を定義するまでもなく、必要とされる情報を定義することができ、処理を簡素化することできる。
【００７７】
（４）また、電源電圧判定部１２５は、電圧検出部１５１によって繰り返し検出された電源電圧の値を平均した平均電源電圧の値が、判定閾値によって分割される範囲のうち、いずれの範囲に含まれているかを判定する第１判定部と、電圧検出部１５１によって繰り返し検出された電源電圧の値が、判定閾値によって分割される範囲のうち、いずれの範囲に含まれているかをそれぞれ判定し、同じ判定結果を示す判定結果の数に基づいて、電源電圧の値が、判定閾値によって分割される範囲のうち、いずれの範囲に含まれているかを判定する第２判定部と、を備える。
このように、異なる演算処理方法を適用することにより、電源電圧の変動傾向に適した判定処理を行うことができることから、電源電圧の変動による影響を低減できる判定方法を選択することができる。
【００７８】
（５）また、負荷部は、備えている光学系２１０を駆動する光学系駆動部２２０、又は、備えている発光部３１０を発光させる電力を充電する充電部３２０のいずれかを有する。
（６）また、光学系駆動部２２０が、それぞれの駆動する期間が独立に制御される複数の駆動部を備えており、電源電圧判定部１２５は、駆動部を駆動する期間が重複するか否かに応じて、第１判定部と第２判定部とのうちから、いずれか一方を選択する。このような方法をとることにより、光学系２１０を駆動している状態の、電池１９０の電源電圧の低下による影響を回避することができる。
（７）また、電源電圧判定部１２５は、充電制御部３３０が充電部３２０の充電状態に応じて、第１判定部と第２判定部とのうちから、いずれか一方を選択する。このような方法をとることにより、コンデンサへの充電が行われている状態の、電池１９０の電源電圧の低下による影響を回避することができる。
【００７９】
（８）また、アクセサリ（レンズ鏡筒２００、発光装置３００）は、カメラから供給された電力によって駆動される負荷部と、負荷部での消費電力情報をカメラに通知する負荷制御部と、を備える。
（９）また、上記アクセサリにおいて、通知した消費電力量情報に基づいて、電力を供給している電池の残量を判定する前記判定閾値が変更される。
【００８０】
これらの構成を備えていることにより、撮像装置１０１は、駆動される負荷の消費電力に応じた電池残量の判定を行うことにより、過剰に電池残量を判定する閾値を高める必要が無く、電池容量を有効に使いきることができる。
【００８１】
さらに、負荷が必要とする消費電力によって駆動することが可能となり、カメラボディ１００側によって過剰に制限された設定値に制限されることがなくなる。これにより、負荷は、過剰に消費電力が制限されずに駆動することができるようになり、これまでの駆動方法のように応答性が制限されることがなくなる。特に、電池残量が低下して限界値に近づいているような場合であっても、レンズ鏡筒２００における負荷の応答性を確保しており、被写体を瞬時に補足することが可能となる。
【００８２】
また、撮像装置１０１は、負荷の消費電力が電池から供給される電力の供給能力の範囲内に収まるように、負荷の消費電力を調整して負荷を駆動制御することが可能となる。これにより、適切な電池残量を判定することができることから、撮像装置１０１は、負荷の消費電力が電池から供給される電力の供給能力の範囲内に収まるように、負荷の消費電力を調整して負荷を駆動制御することにより、電池容量を有効に使いきることができる。
【符号の説明】
【００８３】
１…デジタルカメラ  １３…アクセサリシュー  ２１…電池  ２２…制御回路部  ２３…操作部  ２４…負荷駆動部  ２５…外部電源供給部  ２８…外部アクセサリ  ２９…ＦＥＴ  ３０…ＤＣＤＣコンバータ  １０１…撮像装置  １００…カメラボディ、１００Ｍ…レンズ・マウント、１００Ｆ…発光装置取付部、  ２００…レンズ鏡筒、３００…発光装置  １２０…制御部、１２５…判定部、１２６…通信部、１９０…電池、１９０Ｂ…収納部
【図１】
0005201241.tif 000002
【図２Ａ】
0005201241.tif 000003
【図２Ｂ】
0005201241.tif 000004
【図３】
0005201241.tif 000005
【図４】
0005201241.tif 000006
【図５】
0005201241.tif 000007
【図６】
0005201241.tif 000008
【図７】
0005201241.tif 000009